【事件の表示】
　特願２０００−１２１０８０「テープキャリヤパッケージ，テープキャリアパッケージを有する液晶表示パネルアセンブリ，液晶パネルアッセンブリを採用した液晶表示装置及びその組立方法」拒絶査定不服審判事件〔平成１２年１２月２６日出願公開、特開２０００−３５６７８３〕について、次のとおり審決する。
【結　論】
　本件審判の請求は、成り立たない。
【理　由】
１　手続の経緯
　本願は、平成１２年４月１７日（パリ条約による優先権主張　１９９９年４月１６日、大韓民国）の特許出願であって、平成２０年１月８日付け、同年６月５日付け及び平成２１年１月２２日付けで手続補正がなされたところ、同年４月１４日付けで拒絶査定がなされ、これに対し、同年８月２１日に拒絶査定不服審判の請求がなされるとともに、同日付けで手続補正がなされたものである。
　
２　本願発明
　本願の請求項に係る発明は、平成２１年８月２１日付け手続補正による補正後の明細書及び図面の記載からみて、その特許請求の範囲の請求項１ないし３５に記載された事項によって特定されるものと認められるところ、請求項２９の記載は次のとおりである。
　
「【請求項２９】
　第１基板と、
　前記第１基板の一部の上部に形成された第２基板と、
　前記第１基板に形成された複数のゲートライン及び複数のデータラインと、
　前記第１基板に形成され、前記ゲートラインと電気的に接続され、走査信号を伝送する第１ゲート駆動信号伝送パターンと、を含み、
　前記第１ゲート駆動信号伝送パターンは、
　前記複数のデータラインからなるデータライン群と実質的に隣接するように形成され、第１フレキシブルフィルムと電気的に接続された入力端子と、
　前記複数のゲートラインからなるゲートライン群と実質的に隣接するように形成され、前記ゲートラインと接続され、第２フレキシブルフィルム上に設けられたゲートオン・オフ電圧発生ユニットと電気的に接続された出力端子と、
　前記入力端子及び前記出力端子との間に電気的に接続された主信号パターンと、を含むことを特徴とする、平板パネルディスプレイ。」（以下、請求項２９に係る発明を「本願発明」という。）
　
３　引用刊行物記載の発明
　原査定の拒絶の理由に引用された、本願の優先日前に頒布された刊行物である特開平１０−３０７３０１号公報（以下「引用刊行物」という。）には、図とともに以下の事項が記載されている。
　
　ア　「【特許請求の範囲】
・・・
【請求項１６】  入力した複合同期信号から分離されたソース駆動信号とゲート駆動信号を各々出力するためのコントロールユニット，このコントロールユニットから出力された前記ソース駆動信号を伝送するための多数の第１配線及び前記コントロールユニットから出力されたゲート駆動信号を伝送するための多数の第２配線を有する印刷回路基板と、
上部パネル及び下部パネルと、これら上部パネルと下部パネルとの間に介在された液晶を有し、前記下部パネルはマトリックス配列された画素とこの各画素をスイッチングするためにソース，ドレイン，ゲートを含む多数の薄膜トランジスタが配置された液晶表示パネルと、
前記コントロールユニットから前記ソースにソース駆動信号を伝送するための第３配線と、
前記印刷回路基板の前記コントロールユニットから入力されたゲート駆動信号を伝送するための第４配線と、
選択されたゲート駆動信号を伝送するための第５配線と、
前記下部パネルの前記第３配線にその一端が連結されるとともに前記印刷回路基板の前記第１配線に他端が連結され、前記コントロールユニットから前記第１配線を通じて入力されたソース駆動信号を前記第３配線を通じて、選択された前記画素のソースに印加するためのソース駆動回路部と、
前記下部パネルの第４配線と前記印刷回路基板の第２配線を電気的に連結するための連結手段と、
前記連結手段と前記下部パネルの前記第４配線を通じて入力されたゲート駆動信号から選択したゲート駆動信号を前記下部パネルの第５配線を通じて前記下部パネルの選択されたゲートに印加するためのゲート駆動回路部とを備えることを特徴とする液晶表示モジュール。
【請求項１７】  前記ソース駆動回路部は少なくとも一つのテープキャリヤパッケージを備えることを特徴とする請求項１６記載の液晶表示モジュール。
【請求項１８】  前記ゲート駆動回路部は少なくとも一つのテープキャリヤパッケージを備えることを特徴とする請求項１６記載の液晶表示モジュール。
【請求項１９】  前記信号伝達部材はフレキシブルプリント回路フィルムであることを特徴とする請求項１６記載の液晶表示モジュール。」
　
　イ　「【発明の詳細な説明】
【０００１】
【発明の属する技術分野】本発明は液晶表示モジュール(Module)の技術に関し、特にゲート駆動用集積回路を有する印刷回路基板と液晶表示パネルの組立構造の技術に関する。
【０００２】
【従来の技術】一般に、液晶表示素子のモジュールを製作するためには、液晶表示パネルに沿ってゲート駆動集積回路及びソース駆動集積回路が配置される。前記ゲート駆動集積回路は、液晶表示パネルのゲートバスラインに、順次、駆動電圧を供給し、薄膜トランジスタ(Thin Film Transistor ：以下、ＴＦＴと称する) をオン／オフさせる役割を行い、ソース駆動集積回路は、液晶表示パネルのデータバスライン（または、ソースバスライン）に信号電圧を供給し、ターン−オンされたＴＦＴを通じて液晶セルにデータ電圧を伝達する役割を行う。このようなゲート及びソース駆動集積回路は、一般に、上部に印刷された配線を有する柔軟性ある絶縁フィルム上にゲート及びソース駆動集積回路の各チップが実装される構造となっている。このような構造のパッケージは、テープキャリヤパッケージ(Tape Carrier Package ：以下、ＴＣＰと称する) として一般に知られている。
【０００３】現在使用されている前記ＴＣＰの電気的連結方法の一例によれば、ＴＣＰの一側リードは、液晶パネルの列方向及び行方向のマトリックス駆動用ピンと、ＡＣＦ(Anisotropic Conductive Film) によって電気的にボンディング(Bonding) される。また、ＴＣＰの他側リードは、液晶パネルの行方向及び列方向に沿って各々提供される第１，第２印刷回路基板に印刷された配線とはんだ付け(Soldering) にてボンディングされる。前記液晶パネルの列方向に沿って提供される、ゲートのための第１印刷回路基板には、複合同期信号を受けて、分離されたゲート駆動信号とソース駆動信号をそれぞれゲート駆動集積回路とソース駆動集積回路に印加するためのコントロールユニットが提供される。
【０００４】図３は従来の技術による液晶表示モジュールの平面図であり、図４は図３に示すＡ部拡大図である。図において、この液晶モジュールは下部パネル１ａと上部パネル１ｂからなる液晶パネル１を有し、ゲートのための第１印刷回路基板２に実装されたコントロールユニット９に、外部から複合同期信号が入力する。このコントロールユニット９は、当該入力された複合同期信号をゲート駆動信号とソース駆動信号に各々分離してゲート駆動集積回路４とソース駆動集積回路５にそれぞれ印加する。ゲート駆動集積回路４のためのゲート駆動信号は、前記第１印刷回路基板２に印刷された配線を通じてＴＣＰ６のゲート駆動集積回路４に直接に印加される。反面においてソース駆動集積回路５のためのソース駆動信号は、ソースのための第２印刷回路基板３が前記第１印刷回路基板２と分離されているので、フレキシブルプリント回路(Flexible Printed Circuit ：以下、ＦＰＣと称する）８の連結部材とソースのための第２印刷回路基板３を経てＴＣＰ７のソース駆動集積回路５に印加される。
【０００５】このように、従来の液晶表示モジュールはソース駆動集積回路５にソース駆動信号を印加するために、複合同期信号が入力するコントロールユニット９を備えるゲート側の第１印刷回路基板２を必ず必要とする。したがって、従来の液晶表示モジュールは、ゲート側の第１印刷回路基板２を必要とすることによる材料費の増加とともにモジュールサイズのコンパクト化及び軽量化のための阻害要因となっている。また、前記第１印刷回路基板２と第２印刷回路基板３が分離していることから、両者を接続してソース駆動信号を伝送するために設けられるＦＰＣ８を曲折させる必要があり、これがＦＰＣの製造上の難しさとなっている。
【０００６】
【発明が解決しようとする課題】本発明は前記問題点に鑑みて創案されたものであり、ソース駆動信号やゲート駆動信号中のいずれか一つの信号の伝送のための一つの印刷回路基板だけを有する液晶表示モジュールとすることにより、製造コストを削減することができるとともに、製造状の困難さを解消して製品歩留りの向上をはかり、かつ、小型軽量である液晶表示モジュールの提供をその目的としている。」
　
　ウ　「【００１３】
【発明の実施の形態】以下、図面を参照して本発明の望ましい一実施の形態を説明する。図１は液晶表示モジュールの部分平面図であり、図２は図１に示すＢ部拡大図である。
【００１４】先ず、ソース駆動信号に関する液晶表示モジュールの構造を説明する。図１と図２を参照して、下部パネル３０と上部パネル４０とを含む液晶表示パネル１００が提供される。前記下部パネル３０は上部パネル４０と対向するように配列され、これら上部パネル４０と下部パネル３０との間に液晶が介在される。また、液晶表示パネル１００の行方向に沿って印刷回路基板（ＰＣＢ）２０が提供される。この印刷回路基板２０上には、外部回路から複合同期信号を受けて、ソース駆動信号とゲート駆動信号を発生するためのコントロールユニット２２が提供される。図１及び図２に示すように、印刷回路基板２０は液晶表示パネル１００から分離，離隔して配置されている。
【００１５】前記印刷回路基板２０と液晶表示パネル１００との間には、液晶表示パネル１００の行方向に沿っていくつかのＴＣＰ５０が配列される。このＴＣＰ５０は、第１群のＴＣＰまたはソース駆動回路部と称し、この第１群のＴＣＰ５０は、薄膜トランジスタのソースと連結されているデータライン中の選択されたデータラインにソース駆動信号を発生させるためのものである。図１及び図２に示すように前記第１群のＴＣＰ５０の各々は、ソース駆動集積回路チップ５２と多数の配線５３を有する柔軟性ある絶縁フィルム５１を含み、前記ソース駆動集積回路チップ５２は前記絶縁フィルム５１上に実装され、前記配線５３と電気的に連結される。
【００１６】図１及び図２に示すように、前記第１群のＴＣＰ５０の各々は、一つの柔軟性ある絶縁フィルムが一つの集積回路チップに対応する構造を有するが、いくつかのチップを一つの柔軟性ある絶縁フィルム上に実装する構造としてもよい。
【００１７】前記ソース駆動集積回路チップ５２の一側の配線５３は、ソース駆動信号をコントロールユニット２２からソース駆動集積回路チップ５２に伝送するための多数の第１配線２４を経て、前記コントロールユニット２２と電気的に連結される。前記ソース駆動集積回路チップ５２の他側の配線５３は、下部パネル３０の行方向に沿って配列される多数の第３配線３２と電気的に連結される。この第３配線３２は、ソース駆動信号（データ駆動信号または映像信号）をソース駆動集積回路チップ５２から薄膜トランジスタのソースと連結されて、データラインに伝送するためのものであり、前記ソース駆動集積回路チップ５２の各々は、データラインを駆動するためのソース駆動信号を発生するためのものである。
【００１８】下部パネル３０は、マトリックス状に配列された多数の画素（図示せず）と、この画素をスイッチングするための多数の薄膜トランジスタ（ＴＦＴ：図示せず）とを有する。薄膜トランジスタは、画素電極と１対１に対応するように下部パネル３０上に配列される。逆スタッガ型(Inverted staggered type) ，スタッガ型(Normally staggered type) ，コプレーナ型(Coplanar type) ，半自己整列型(Semi self-aligned type)及び自己整列型(Fu lly self-aligned type)のような色々の類型の薄膜トランジスタが本発明に適用できる。
【００１９】次に、ゲート駆動信号に対する液晶表示モジュールの構造を説明する。図１及び図２に示すように、コントロールユニット２２から薄膜トランジスタのゲートに、ゲート駆動信号を伝送するために、下部パネル３０のダミー部分（上部パネル４０と対向しない下部パネルの所定部分）上に、上部パネル４０の列方向に沿っていくつかのＴＣＰ７０が提供される。ここで、当該ＴＣＰ７０は第２群のＴＣＰまたはゲート駆動回路部と称する。この第２群のＴＣＰ７０は、コントロールユニット２２から薄膜トランジスタのゲートに、ゲート駆動信号を発生させるためのものである。前記第２群のＴＣＰ７０は、その各々がゲート駆動集積回路チップ７２と多数の配線７５を有する柔軟性ある絶縁フィルム７１を含み、前記ゲート駆動集積回路チップ７２は前記絶縁フィルム７１上に実装され、前記配線７５と電気的に連結される。
【００２０】印刷回路基板２０は下部パネル３０と分離されているので、信号伝達部材６０がコントロールユニット２２とゲート駆動集積回路チップ７２間の信号伝送のために提供される。この信号伝達部材６０は、配線が柔軟性あるフィルム内に形成された構造を有し、一般的にフレキシブルプリント回路フィルム（以下、ＦＰＣフィルムと称する）として知られている。前記コントロールユニット２２は多数の第２配線２６を通じ、前記ＦＰＣフィルム６０は第４配線３４を通じてゲート駆動集積回路チップ７２と連結されるが、前記第４配線３４は、前記ＦＰＣフィルム６０からゲート駆動集積回路チップ７２にゲート駆動信号を伝送するためのものである。ここで、各ゲート駆動集積回路チップ７２は多数の配線７５に連結される。
【００２１】下部パネル３０の列方向の縁にあるダミー部分には、入力された駆動信号中の選択された信号を、選択されたゲートラインに伝送するための多数の第５配線３６が提供される。したがって、ゲート駆動信号のための信号伝達経路は、印刷回路基板２０上のコントロールユニット２２，第２配線２６，ＦＰＣフィルム６０，下部パネル３０上の第４配線３４，そして第２群のＴＣＰ７０のゲート駆動集積回路チップ７２の順番である。前記第５配線３６から入力されたゲート駆動信号は、下部パネル３０上の選択された薄膜トランジスタに対応するゲートを駆動する。
【００２２】一方、第２群のＴＣＰ７０の各々において、ゲート集積回路チップ７２を基準として柔軟性ある絶縁フィルム７１の一側部分は下部パネル３０の外側に配置される。前記一側部は下部パネル３０の列方向に沿って前記下部パネル３０の縁線上に形成されたスリット(slit)７４を有する。モジュールの組立工程の間、前記一側部は前記スリットに沿って折られ、パネル後面に付着される。その結果、モジュールはコンパクトになる。前記第４配線３４は第２群のＴＣＰ７０の各ゲート駆動集積回路チップ７２にゲート信号を供給するが、この際に、前記第４配線３４からの延長線は第５配線３６と重畳しないように、下部パネル３０の外側にあるＦＰＣフィルム７１の前記一側部を通じて前記第２群のＴＣＰ７０の各チップに連結されることが望ましい。
【００２３】以下、前記構成を有する液晶表示モジュールの動作を説明する。複合同期信号がコントロールユニット２２に入力すると、前記複合同期信号から分離されたゲート駆動集積回路用のゲート駆動信号は、印刷回路基板２０の第２配線２６，ＦＰＣフィルム６０，下部パネル３０の第４配線３４を順次に経て、第２群のＴＣＰ７０のゲート駆動集積回路チップ７２に入力する。前記ゲート駆動集積回路チップ７２は、入力されたゲート駆動信号を第５配線３６を通じて下部パネル３０の選択された薄膜トランジスタのゲートに入力する。一方、前記コントロールユニット２２から出力されたソース駆動集積回路用のソース駆動信号は、印刷回路基板２０の第１配線２４及び前記第１配線２４に連結された第１群のＴＣＰ５０の絶縁フィルム５１に印刷された配線を通じてソース駆動集積回路チップ５２に入力する。前記ソース駆動集積回路チップ５２は、入力されたソース駆動信号を下部パネル３０の第３配線３２を通じて選択された薄膜トランジスタのソースに入力する。
【００２４】前記経過により、薄膜トランジスタのゲートが選択され、ソース駆動信号が薄膜トランジスタのソースに入力されてドレインに伝送されることで、液晶パネルのスクリーンには映像が表示される。」
　
　エ　「【００２７】
【発明の効果】以上説明のように本発明による液晶表示モジュールによれば、ゲート側の印刷回路基板をなくし、ゲート駆動集積回路を液晶表示パネルの縁に沿って実装し、液晶表示パネルに形成されたバスラインとＦＰＣを通じてソース側の集積回路と連結することにより、部品点数を減らすことができ、これにより製造コストを削減することができる。また、ＦＰＣが直線形態を有する構成となることから、その製造が容易となって不良率を減少させて製品歩留りを向上させることができ、かつ、小型軽量である液晶モジュールとすることができる。」
　
　オ　上記ウを踏まえて図１ないし図２を見ると、
　ＦＰＣフィルム６０は、前記印刷回路基板２０と液晶表示パネル１００との間に、液晶表示パネル１００の行方向に沿って配列される第１群のＴＣＰ５０と並んで配置されること、
　第４配線３４は、下部パネル３０の行方向に沿って配列される多数の第３配線３２と並んで、下部パネル３０の角部に配置されること、
　ソース駆動信号をデータラインに伝送するためのものであり、下部パネル３０の行方向に沿って配列される多数の第３配線３２は、データラインが延長された、第１群のＴＣＰ５０の各々に対応した複数の配線群であること、及び、
　下部パネル３０の列方向の縁にあるダミー部分に提供され、入力された駆動信号中の選択された信号を選択されたゲートラインに伝送するための多数の第５配線３６は、ゲートラインが延長された、第２群のＴＣＰ７０の各々に対応した複数の配線群であること、
　が見て取れる。
　
　カ　以上の摘記事項を総合すると、引用刊行物には、次の発明（以下「引用発明」という。）が記載されていると認められる。
　
「  入力した複合同期信号から分離されたソース駆動信号とゲート駆動信号を各々出力するためのコントロールユニット，このコントロールユニットから出力された前記ソース駆動信号を伝送するための多数の第１配線及び前記コントロールユニットから出力されたゲート駆動信号を伝送するための多数の第２配線を有する印刷回路基板と、
　上部パネル及び下部パネルと、これら上部パネルと下部パネルとの間に介在された液晶を有し、前記下部パネルはマトリックス配列された画素とこの各画素をスイッチングするためにソース，ドレイン，ゲートを含む多数の薄膜トランジスタが配置された液晶表示パネルと、
　前記コントロールユニットから前記ソースにソース駆動信号を伝送するための第３配線と、
　前記印刷回路基板の前記コントロールユニットから入力されたゲート駆動信号を伝送するための第４配線と、
　選択されたゲート駆動信号を伝送するための第５配線と、
　前記下部パネルの前記第３配線にその一端が連結されるとともに前記印刷回路基板の前記第１配線に他端が連結され、前記コントロールユニットから前記第１配線を通じて入力されたソース駆動信号を前記第３配線を通じて、選択された前記画素のソースに印加するためのソース駆動回路部と、
　前記下部パネルの第４配線と前記印刷回路基板の第２配線を電気的に連結するための連結手段と、
　前記連結手段と前記下部パネルの前記第４配線を通じて入力されたゲート駆動信号から選択したゲート駆動信号を前記下部パネルの第５配線を通じて前記下部パネルの選択されたゲートに印加するためのゲート駆動回路部とを備える液晶表示モジュールであって、
　前記ソース駆動回路部は少なくとも一つのテープキャリヤパッケージを備え、前記ゲート駆動回路部は少なくとも一つのテープキャリヤパッケージを備えた、液晶表示モジュールにおいて、
　液晶表示パネル１００は、下部パネル３０と上部パネル４０とを含み、前記下部パネル３０は上部パネル４０と対向するように配列され、これら上部パネル４０と下部パネル３０との間に液晶が介在され、
　下部パネル３０は、マトリックス状に配列された多数の画素と、この画素をスイッチングするための多数の薄膜トランジスタ（ＴＦＴ）とを有し、
　液晶表示パネル１００の行方向に沿って印刷回路基板（ＰＣＢ）２０が提供され、印刷回路基板２０上には、外部回路から複合同期信号を受けて、ソース駆動信号とゲート駆動信号を発生するためのコントロールユニット２２が提供され、印刷回路基板２０は液晶表示パネル１００から分離，離隔して配置され、
　前記印刷回路基板２０と液晶表示パネル１００との間には、液晶表示パネル１００の行方向に沿っていくつかのＴＣＰ５０（第１群のＴＣＰまたはソース駆動回路部）が配列され、このＴＣＰ５０は、薄膜トランジスタのソースと連結されているデータライン中の選択されたデータラインにソース駆動信号を発生させるためのものであり、前記第１群のＴＣＰ５０の各々は、ソース駆動集積回路チップ５２と多数の配線５３を有する柔軟性ある絶縁フィルム５１を含み、前記ソース駆動集積回路チップ５２は前記絶縁フィルム５１上に実装され、前記配線５３と電気的に連結され、前記ソース駆動集積回路チップ５２の他側の配線５３は、下部パネル３０の行方向に沿って配列される多数の第３配線３２と電気的に連結され、
　この第３配線３２は、ソース駆動信号（データ駆動信号）をソース駆動集積回路チップ５２から薄膜トランジスタのソースと連結されたデータラインに伝送するためのものであり、データラインが延長された、第１群のＴＣＰ５０の各々に対応した複数の配線群であり、
　コントロールユニット２２から薄膜トランジスタのゲートに、ゲート駆動信号を伝送するために、下部パネル３０のダミー部分（上部パネル４０と対向しない下部パネルの所定部分）上に、上部パネル４０の列方向に沿っていくつかのＴＣＰ７０（第２群のＴＣＰまたはゲート駆動回路部）が提供され、第２群のＴＣＰ７０は、コントロールユニット２２から薄膜トランジスタのゲートに、ゲート駆動信号を発生させるためのものであり、前記第２群のＴＣＰ７０は、その各々がゲート駆動集積回路チップ７２と多数の配線７５を有する柔軟性ある絶縁フィルム７１を含み、前記ゲート駆動集積回路チップ７２は前記絶縁フィルム７１上に実装され、前記配線７５と電気的に連結され、
　信号伝達部材６０がコントロールユニット２２とゲート駆動集積回路チップ７２間の信号伝送のために提供され、この信号伝達部材６０は、配線が柔軟性あるフィルム内に形成された構造を有したフレキシブルプリント回路フィルム（ＦＰＣフィルム）であり、ＦＰＣフィルム６０は、前記印刷回路基板２０と液晶表示パネル１００との間に、液晶表示パネル１００の行方向に沿って配列されるＴＣＰ５０と並んで配置され、
　コントロールユニット２２は多数の第２配線２６を通じ、前記ＦＰＣフィルム６０は第４配線３４を通じてゲート駆動集積回路チップ７２と連結され、前記第４配線３４は、前記ＦＰＣフィルム６０からゲート駆動集積回路チップ７２にゲート駆動信号を伝送するためのものであり、
　第４配線３４は、下部パネル３０の行方向に沿って配列される多数の第３配線３２と並んで、下部パネル３０の角部に配置され、
　下部パネル３０の列方向の縁にあるダミー部分には、入力された駆動信号中の選択された信号を、選択されたゲートラインに伝送するための多数の第５配線３６が提供され、この第５配線３６は、ゲートラインが延長された、第２群のＴＣＰ７０の各々に対応した複数の配線群であり、
　ゲート駆動信号のための信号伝達経路は、印刷回路基板２０上のコントロールユニット２２，第２配線２６，ＦＰＣフィルム６０，下部パネル３０上の第４配線３４，そして第２群のＴＣＰ７０のゲート駆動集積回路チップ７２の順番であり、前記第５配線３６から入力されたゲート駆動信号は、下部パネル３０上の選択された薄膜トランジスタに対応するゲートを駆動し、
　第２群のＴＣＰ７０の各々において、ゲート集積回路チップ７２を基準として柔軟性ある絶縁フィルム７１の一側部分は下部パネル３０の外側に配置され、前記一側部は下部パネル３０の列方向に沿って前記下部パネル３０の縁線上に形成されたスリット７４を有し、モジュールの組立工程の間、前記一側部は前記スリットに沿って折られ、パネル後面に付着され、モジュールはコンパクトになり、
　前記第４配線３４は第２群のＴＣＰ７０の各ゲート駆動集積回路チップ７２にゲート信号を供給し、前記第４配線３４からの延長線は第５配線３６と重畳しないように、下部パネル３０の外側にあるＦＰＣフィルム７１の前記一側部を通じて前記第２群のＴＣＰ７０の各チップに連結される、液晶表示モジュール。」
　
４　対比 
　本願発明と引用発明とを対比する。
　
（１）引用発明の「液晶表示モジュール」は、本願発明の「平板パネルディスプレイ」に相当する。
　
（２）引用発明の「液晶表示モジュール（液晶表示パネル１００）」において、下部パネル３０と上部パネル４０とを含み、前記下部パネル３０は上部パネル４０と対向するように配列され、下部パネル３０は、「上部パネル４０と対向しない下部パネルの所定部分」である「ダミー部分」を含むものであるから、
　引用発明の「下部パネル」及び「上部パネル」は、それぞれ、本願発明の「第１基板」及び「第２基板」に相当し、
　引用発明は、本願発明の「『前記第１基板の一部の上部に形成された』第２基板」との特定事項を備える。
　
（３）引用発明の「（多数の）第３配線（３２）」は、「下部パネル３０の行方向に沿って配列される」ものであり、かつ、「ソース駆動信号（データ駆動信号）をソース駆動集積回路チップ５２から薄膜トランジスタのソースと連結されたデータラインに伝送するためのものであり、データラインが延長された、第１群のＴＣＰ５０の各々に対応した複数の配線群であ」るから、
　引用発明の「第３配線（３２）」は、本願発明の「前記複数のデータラインからなるデータライン群」に相当し、
　引用発明は、本願発明の「前記第１基板に形成された」「複数のデータラインと」「を含み」との特定事項を備える。
　
（４）引用発明の「（多数の）第５配線（３６）」は、「入力された駆動信号中の選択された信号を、選択されたゲートラインに伝送するための」ものであり、「下部パネル３０の列方向の縁にあるダミー部分に」提供され、「ゲートラインが延長された、第２群のＴＣＰ７０の各々に対応した複数の配線群であ」るから、
　引用発明の「第５配線（３６）」は、本願発明の「前記複数のゲートラインからなるゲートライン群」に相当し、
　引用発明は、本願発明の「前記第１基板に形成された複数のゲートライン」「と」「を含み」との特定事項を備える。
　
（５）引用発明において、「第４配線（３４）」は、「下部パネル３０の行方向に沿って配列される多数の第３配線３２と並んで、下部パネル３０の角部に配置され」、「ゲート駆動信号のための信号伝達経路は、印刷回路基板２０上のコントロールユニット２２，第２配線２６，ＦＰＣフィルム６０，下部パネル３０上の第４配線３４，そして第２群のＴＣＰ７０のゲート駆動集積回路チップ７２の順番であり、前記第５配線３６から入力されたゲート駆動信号は、下部パネル３０上の選択された薄膜トランジスタに対応するゲートを駆動し」、前記「第５配線３６」は、「入力された駆動信号中の選択された信号を、選択されたゲートラインに伝送するための」ものであるから、
　引用発明の「第４配線（３４）」は、本願発明の「前記第１基板に形成され、前記ゲートラインと電気的に接続され、走査信号を伝送する第１ゲート駆動信号伝送パターン」に相当する。
　
（６）引用発明の「ＦＰＣフィルム６０」は、前記印刷回路基板２０と液晶表示パネル１００との間に、液晶表示パネル１００の行方向に沿って配列されるＴＣＰ５０と並んで配置され」るものであり、上記（５）に示したことから、「第４配線（３４）」（本願発明の「第１ゲート駆動信号伝送パターン」に相当。）と電気的に接続されたものといえるから、
　引用発明の「ＦＰＣフィルム６０」は、本願発明の「第１フレキシブルフィルム」に相当する。
　
（７）引用発明において、「前記第２群のＴＣＰ７０は、その各々がゲート駆動集積回路チップ７２と多数の配線７５を有する柔軟性ある絶縁フィルム７１を含み」、この「ゲート駆動集積回路チップ７２」は、「コントロールユニット２２から薄膜トランジスタのゲートに、ゲート駆動信号を発生させるためのものであ」り、「ゲート駆動信号のための信号伝達経路は、印刷回路基板２０上のコントロールユニット２２，第２配線２６，ＦＰＣフィルム６０，下部パネル３０上の第４配線３４，そして第２群のＴＣＰ７０のゲート駆動集積回路チップ７２の順番であり、前記第５配線３６から入力されたゲート駆動信号は、下部パネル３０上の選択された薄膜トランジスタに対応するゲートを駆動し」、ここで、この「第５配線３６」は、「入力された駆動信号中の選択された信号を、選択されたゲートラインに伝送するための」ものであるから、
　引用発明の「第２群のＴＣＰ７０」及び「ゲート駆動集積回路チップ７２」は、それぞれ、本願発明の「第２フレキシブルフィルム」及び「前記ゲートラインと接続され、第２フレキシブルフィルム上に設けられたゲートオン・オフ電圧発生ユニット」に相当する。
　
（８）上記（５）ないし（７）を踏まえると、引用発明の「第４配線（３４）」（本願発明の「第１ゲート駆動信号伝送パターン」）は、その入力側で「ＦＰＣフィルム６０」（本願発明の「第１フレキシブルフィルム」）と電気的に接続され、その出力側で「（第２群のＴＣＰ７０の）ゲート駆動集積回路チップ７２」（本願発明の「ゲートオン・オフ電圧発生ユニット」）と電気的に接続されたものであり、第４配線の各側における電気的な接続部は「端子」であり、それらの間の配線パターンは「主信号パターン」であるといえるから、
　引用発明は、
「　前記第１ゲート駆動信号伝送パターンは、
　第１フレキシブルフィルムと電気的に接続された入力端子と、
　前記ゲートラインと接続され、第２フレキシブルフィルム上に設けられたゲートオン・オフ電圧発生ユニットと電気的に接続された出力端子と、
　前記入力端子及び前記出力端子との間に電気的に接続された主信号パターンと、を含む」点で、
本願発明の
「　前記第１ゲート駆動信号伝送パターンは、
　前記複数のデータラインからなるデータライン群と実質的に隣接するように形成され、第１フレキシブルフィルムと電気的に接続された入力端子と、
　前記複数のゲートラインからなるゲートライン群と実質的に隣接するように形成され、前記ゲートラインと接続され、第２フレキシブルフィルム上に設けられたゲートオン・オフ電圧発生ユニットと電気的に接続された出力端子と、
　前記入力端子及び前記出力端子との間に電気的に接続された主信号パターンと、を含む」
との特定事項と一致する。
　
　以上によると、本願発明と引用発明とは、
「　第１基板と、
　前記第１基板の一部の上部に形成された第２基板と、
　前記第１基板に形成された複数のゲートライン及び複数のデータラインと、
　前記第１基板に形成され、前記ゲートラインと電気的に接続され、走査信号を伝送する第１ゲート駆動信号伝送パターンと、を含み、
前記第１ゲート駆動信号伝送パターンは、
　第１フレキシブルフィルムと電気的に接続された入力端子と、
　前記ゲートラインと接続され、第２フレキシブルフィルム上に設けられたゲートオン・オフ電圧発生ユニットと電気的に接続された出力端子と、
　前記入力端子及び前記出力端子との間に電気的に接続された主信号パターンと、を含む、平板パネルディスプレイ。」
である点で一致し、次の点で相違する。
　
ａ．第１ゲート駆動信号伝送パターンの「入力端子」が、本願発明では、「前記複数のデータラインからなるデータライン群と実質的に隣接するように形成され」ているのに対して、引用発明の「入力端子」が、そのように形成されているものか明らかでない点（以下「相違点１」という。）。
　
ｂ．第１ゲート駆動信号伝送パターンの「出力端子」が、本願発明では、「前記複数のゲートラインからなるゲートライン群と実質的に隣接するように形成され」ているのに対して、引用発明の「出力端子」が、そのように形成されているものか明らかでない点（以下「相違点２」という。）。
　
４　判断 
　上記各相違点について検討する。 
　
（１）相違点１について
　引用発明において、「第４配線３４」は、その入力側（ＦＰＣ６０に接続される側）において、「下部パネル３０の行方向に沿って配列される多数の第３配線３２と並んで、下部パネル３０の角部に配置され」ているものであるから、引用発明の「第４配線３４」の「入力端子」を、「第３配線３２」（本願発明の「複数のデータラインからなるデータライン群」に相当。）と実質的に隣接するように形成されたものとすることは、当業者が適宜なし得たことである。
　
（２）相違点２について
　引用発明において、「前記第４配線３４」は、「第２群のＴＣＰ７０の各ゲート駆動集積回路チップ７２にゲート信号を供給し、前記第４配線３４からの延長線は第５配線３６と重畳しないように、下部パネル３０の外側にあるＦＰＣフィルム７１の前記一側部を通じて前記第２群のＴＣＰ７０の各チップに連結される」ものであるから、引用発明の「第４配線３４」の「出力端子」を、「第５配線３６」（本願発明の「複数のゲートラインからなるゲートライン群」に相当。）と実質的に隣接するように形成されたものとすることは、当業者が適宜なし得たことである。
　
５　むすび　
　以上のとおり、本願発明は、引用刊行物に記載された発明に基づいて当業者が容易に発明できたものであるから、特許法第２９条第２項の規定により、特許を受けることができない。
　
　よって、結論のとおり審決する。